(57)【要約】【課題】架空ドロップ光ファイバケーブルの直線部及び屈曲部を含むケーブル全体に連続的にかつ簡単に取り付けることができるとともに、架空ドロップ光ファイバケーブルの支持線の取り出しを容易とする。【解決手段】架空ドロップ光ファイバ防護管１は、可撓性および弾力性を有する電気絶縁性材料で管体に形成されているとともに、管体の長手方向に割れ目１１を設けて、この割れ目１１から架空ドロップ光ファイバケーブル２を挿入し、管体内に収納する。そして、架空ドロップ光ファイバ防護管１の内径は、光ファイバ部２０Ｂの高さ程度となっているため、架空ドロップ光ファイバケーブル２に装着している状態においては、支持線部２０Ａは、割れ目１１に挟まれて固定されているとともに、光ファイバ部２０Ｂは、光ファイバ挿通孔１２に収納される。【選択図】図１
2005275124.tif 000002
【特許請求の範囲】
【請求項１】
可撓性および弾力性を有する電気絶縁性材料で形成された管体の架空ドロップ光ファイバ防護管であって、
前記管体の長手方向に割れ目を設けて、該割れ目から前記管体内に収められた架空ドロップ光ファイバケーブルの支持線部を前記割れ目で挟持させることを特徴とする架空ドロップ光ファイバ防護管。
【請求項２】
前記管体の割れ目の厚さは前記支持線部の外径より薄く、前記支持線部の表面の一部は前記管体から突出していることを特徴とする請求項１記載の架空ドロップ光ファイバ防護管。
【請求項３】
Ｖ字形の開口部を有する金属板で構成された架空ドロップ光ファイバ防護管取り付け工具であって、
前記開口部の両端から溝底部に向かって設けられた２つの掛止部によって請求項１又は２記載の架空ドロップ光ファイバ防護管の割れ目を開いた状態で固定させ、該架空ドロップ光ファイバ防護管内に架空ドロップ光ファイバケーブルを収めることを特徴とする架空ドロップ光ファイバ防護管取り付け工具。
【請求項４】
請求項３記載の架空ドロップ光ファイバ防護管取り付け工具を上に行くに従って細くなる台座の最頂部に取り付けたことを特徴とする架空ドロップ光ファイバ防護管取り付け装置。
【請求項５】
請求項１又は２記載の架空ドロップ光ファイバ防護管を請求項３記載の架空ドロップ光ファイバ防護管取り付け工具を用いて架空ドロップ光ファイバケーブルに装着することを特徴とする架空ドロップ光ファイバ防護管装着方法。
【請求項６】
請求項１又は２記載の架空ドロップ光ファイバ防護管を請求項４記載の架空ドロップ光ファイバ防護管取り付け装置を用いて架空ドロップ光ファイバケーブルに装着することを特徴とする架空ドロップ光ファイバ防護管装着方法。
【発明の詳細な説明】
【技術分野】
【０００１】
本発明は、架空ドロップ光ファイバケーブルを防護する技術に関し、詳しくは、架空ドロップ光ファイバ防護管、架空ドロップ光ファイバ防護管取り付け工具、架空ドロップ光ファイバ防護管取り付け装置、及び架空ドロップ光ファイバ防護管装着方法に関する。
【背景技術】
【０００２】
架空ドロップ光ファイバケーブルの屈曲箇所、例えば、電柱上の引き留め部において、電線防護カバーを巻きつけて、電柱との接触による衝撃あるいは擦れから架空ドロップ光ファイバケーブルの外被及び光ファイバの損傷を防止する技術は既に知られている（例えば、非特許文献１参照）。
【０００３】
また、架空ドロップ光ファイバケーブル用ではないが、一般的な通信ケーブルに対する防護品としては、例えば、非特許文献２及び非特許文献３に挙げるようなケーブル防護カバーが市販されている。
【非特許文献１】株式会社浅羽製作所，「ＰＶＣ電線カバー」，アサバカタログ  情報通信用，第１６版，ｐ．７
【非特許文献２】大東電材株式会社、“ラインサポータ（ケーブル防護カバー）”、[Online]、［平成１６年３月１８日検索］、インターネット＜ＵＲＬ：http://www.daito-d.co.jp/Catalog/TS/ts_001.html＞
【非特許文献３】大東電材株式会社、“プロテクター”、[Online]、［平成１６年３月１８日検索］、インターネット＜ＵＲＬ：http://www.daito-d.co.jp/Catalog/TS/ts_002.html＞
【発明の開示】
【発明が解決しようとする課題】
【０００４】
しかしながら、上述した市販されているケーブル防護カバーは、ケーブルの直線部（水平部）を防護するものであり、上述した屈曲部には取り付け不可能であるとともに、該ケーブル防護カバーは、径が太いケーブルを対象としているため、径が細い架空ドロップ光ファイバケーブルには大きすぎて取り付けに適さないという課題がある。
【０００５】
また、架空ドロップ光ファイバケーブルの屈曲箇所に装着される従来の電線防護カバーを直線部も含めてケーブル全体で連続的に使用しようとすると、電線防護カバー９は、図７に示すように、光ファイバ部２０Ｂだけでなく支持線部２０Ａも電線防護カバー９内に隠蔽して巻きつける方式であるため、取り付けが容易でないとともに、一旦、電線防護カバー９を取り付けた後では支持線部２０Ａの取り出しが困難であるという課題がある。
【０００６】
本発明は、上記の課題を解決するためになされたものであり、架空ドロップ光ファイバケーブルの直線部及び屈曲部を含むケーブル全体に連続的にかつ簡単に取り付けることができるとともに、架空ドロップ光ファイバケーブルの支持線の取り出しが容易な架空ドロップ光ファイバ防護管、架空ドロップ光ファイバ防護管取り付け工具、架空ドロップ光ファイバ防護管取り付け装置、及び架空ドロップ光ファイバ防護管装着方法を提供することを目的とする。
【課題を解決するための手段】
【０００７】
上記目的を達成するため、請求項１記載の本発明は、可撓性および弾力性を有する電気絶縁性材料で形成された管体の架空ドロップ光ファイバ防護管であって、前記管体の長手方向に割れ目を設けて、該割れ目から前記管体内に収められた架空ドロップ光ファイバケーブルの支持線部を前記割れ目で挟持させることを特徴とする。
【０００８】
請求項２記載の本発明は、請求項１記載の発明において、前記管体の割れ目の厚さは前記支持線部の外径より薄く、前記支持線部の表面の一部は前記管体から突出していることを特徴とする。
【０００９】
請求項３記載の本発明は、Ｖ字形の開口部を有する金属板で構成された架空ドロップ光ファイバ防護管取り付け工具であって、前記開口部の両端から溝底部に向かって設けられた２つの掛止部によって請求項１又は２記載の架空ドロップ光ファイバ防護管の割れ目を開いた状態で固定させ、該架空ドロップ光ファイバ防護管内に架空ドロップ光ファイバケーブルを収めることを特徴とする。
【００１０】
請求項４記載の本発明は、請求項３記載の架空ドロップ光ファイバ防護管取り付け工具を上に行くに従って細くなる台座の最頂部に取り付けた架空ドロップ光ファイバ防護管取り付け装置であることを特徴とする。
【００１１】
請求項５記載の本発明は、請求項１又は２記載の架空ドロップ光ファイバ防護管を請求項３記載の架空ドロップ光ファイバ防護管取り付け工具を用いて架空ドロップ光ファイバケーブルに装着する架空ドロップ光ファイバ防護管装着方法であることを特徴とする。
【００１２】
請求項６記載の本発明は、請求項１又は２記載の架空ドロップ光ファイバ防護管を請求項４記載の架空ドロップ光ファイバ防護管取り付け装置を用いて架空ドロップ光ファイバケーブルに装着する架空ドロップ光ファイバ防護管装着方法であることを特徴とする。
【発明の効果】
【００１３】
本発明によれば、架空ドロップ光ファイバケーブルの直線部及び屈曲部を含むケーブル全体に連続的かつ簡単に取り付けることができるとともに、架空ドロップ光ファイバケーブルの支持線の取り出しが容易な架空ドロップ光ファイバ防護管、架空ドロップ光ファイバ防護管取り付け工具、及び架空ドロップ光ファイバ防護管装着方法を提供することができる。
【００１４】
この結果、生物の行動によって損傷するおそれがある箇所の架空ドロップ光ファイバケーブルに本発明の架空ドロップ光ファイバ防護管を適用でき、生物による損傷を防止して、通信回線の故障を未然に防止することができる。また、本発明の架空ドロップ光ファイバ防護管を取り付けた後でも、任意の箇所で簡単に架空ドロップ光ファイバケーブルの支持線を取り出すことが可能であるので、防護した架空ドロップ光ファイバケーブルを電柱へ設置する際などの作業効率を向上させることができる。
【発明を実施するための最良の形態】
【００１５】
以下、本発明の実施の形態を図面を用いて説明する。
【００１６】
＜第１の実施の形態＞
図１は、本発明の第１の実施の形態に係る架空ドロップ光ファイバ防護管１の外観を示す斜視図である。尚、図１（ａ）は、架空ドロップ光ファイバケーブル２に装着していない状態の架空ドロップ光ファイバ防護管１、図１（ｂ）は、架空ドロップ光ファイバケーブル２に装着した状態の架空ドロップ光ファイバ防護管１を示している。
【００１７】
図１に示す架空ドロップ光ファイバ防護管１は、可撓性および弾力性を有する電気絶縁性材料で管体に形成されているとともに、管体の長手方向に割れ目１１を設けて、この割れ目１１から架空ドロップ光ファイバケーブル２を挿入し、管体内に収納するものである。
【００１８】
図１（ｂ）に示すように、架空ドロップ光ファイバ防護管１の内径は、架空ドロップ光ファイバケーブル２の光ファイバ部２０Ｂの高さ程度となっているため、架空ドロップ光ファイバケーブル２に装着している状態においては、架空ドロップ光ファイバケーブル１の支持線部２０Ａは、割れ目１１に挟まれて固定されているとともに、光ファイバ部２０Ｂは、光ファイバ挿通孔１２に収納されるようになっている。
【００１９】
架空ドロップ光ファイバ防護管１をこのような構成にすることにより、架空ドロップ光ファイバケーブル２に簡単に取り付けることができ、数十〜数百ｍの架空ドロップ光ファイバケーブル２を直線部及び屈曲部（引き止め部）に連続的に取り付けることが可能となる。また、この結果、従来同様、電柱等の接触による衝撃を低減することは勿論、昆虫や鳥類等の生物の行動によって架空ドロップ光ファイバケーブル２の光ファイバ部２０Ｂが損傷することを防ぐことが可能となる。
【００２０】
さらに、架空ドロップ光ファイバ防護管１は、その表面に割れ目１１があり、支持線部２０Ａが一部露出しているため、架空ドロップ光ファイバ防護管１を架空ドロップ光ファイバケーブル２に取り付けた後でも、任意の場所で簡単に支持線部２０Ａを取り出して、支持線部２０Ａを剥離することが可能である。このように、架空ドロップ光ファイバ防護管１は、施工性に優れているため、架空ドロップ光ファイバケーブル２に対するインフラ整備作業の作業効率を大幅に向上させることができるものである。
【００２１】
図２は、架空ドロップ光ファイバ防護管１の取り付け状況を示す図である。図２に示すように、架空ドロップ光ファイバ防護管１は、既に敷設されている架空ドロップ光ファイバケーブル２の直線部（例えば、箇所Ａ）および屈曲部（例えば、箇所Ｂ）に取り付けられる他、例えば、箇所Ｃに示すように、新たに架空ドロップ光ファイバケーブル２を地上から繰り出して敷設する際にも取り付け可能なものである。ここで、箇所Ｃでは、架空ドロップ光ファイバケーブル２を架空ドロップ光ファイバ繰り出し器３から繰り出すとともに、架空ドロップ光ファイバ防護管梱包ケース４から架空ドロップ光ファイバ防護管１を取り出して、合流させ、架空ドロップ光ファイバケーブル２に架空ドロップ光ファイバ防護管１を装着するようになっている。
【００２２】
図３は、直線部（例えば、箇所Ａ）に架空ドロップ光ファイバ防護管１を取り付ける場合の説明図である。同図によれば、防護管取り付け工具５により、架空ドロップ光ファイバ防護管１の割れ目１１を開いて、開いた状態で架空ドロップ光ファイバ防護管１を固定し、この架空ドロップ光ファイバ防護管１の管内に架空ドロップ光ファイバケーブル２を収めるとともに、防護管取り付け工具５を架空ドロップ光ファイバ防護管１の長手方向に沿って移動していくことにより、連続的に架空ドロップ光ファイバ防護管１を装着することが可能となるものである。また、防護管取り付け工具５の使用により、より簡単に装着が可能となるものである。ここで、防護管取り付け工具５は、図３に示すように、Ｖ字形開口部を有する金属製の工具であり、開口部の両端から溝底部に向かって設けられた２つの掛止部によって、架空ドロップ光ファイバ防護管１を開いて固定するようになっている。
【００２３】
図４は、屈曲部（例えば、箇所Ｂ）に架空ドロップ光ファイバ防護管１を取り付ける場合の説明図である。同図によれば、図３と同様に、防護管取り付け工具５により、連続的に架空ドロップ光ファイバ防護管１を装着することが可能となるとともに、電柱上の引き留め部においては、架空ドロップ光ファイバ防護管１から架空ドロップ光ファイバケーブル２の支持線部２０Ａだけを取り出し、かつ剥離することにより、架空ドロップ光ファイバケーブル２の光ファイバ部２０Ｂを防護することが可能となっている。
【００２４】
図５は、新たに架空ドロップ光ファイバケーブル２を地上から繰り出して敷設する際（例えば、箇所Ｃ）に架空ドロップ光ファイバ防護管１を取り付ける場合の説明図である。同図によれば、上に行くに従って細くなっていく三角状の台座の最頂部に防護管取り付け工具５を取り付けた防護管取り付け装置６を用いて、架空ドロップ光ファイバケーブル２と割れ目１１を開いた状態の架空ドロップ光ファイバ防護管１を合流させ、架空ドロップ光ファイバ防護管１を装着していくので、新たに架空ドロップ光ファイバケーブル２を敷設する際にも簡単に架空ドロップ光ファイバ防護管１を取り付けることが可能となっている。
【００２５】
＜その他の実施の形態＞
図６は、第２の実施の形態に係る架空ドロップ光ファイバ防護管１’を示す図である。架空ドロップ光ファイバ防護管１’は、割れ目１１’の管の厚さが架空ドロップ光ファイバケーブル２の支持線部２０Ａに比べて薄いため、支持線部２０Ａの表面が一部、架空ドロップ光ファイバ防護管１’から突出しているものである。
【００２６】
従って、架空ドロップ光ファイバ防護管１’は、架空ドロップ光ファイバ防護管１と同じ効果を得ることができるともに、より簡単に架空ドロップ光ファイバケーブル２の支持線部２０Ａを取り出すことが可能となる。
【図面の簡単な説明】
【００２７】
【図１】本発明の第１の実施の形態に係る架空ドロップ光ファイバ防護管の斜視図である。
【図２】本発明の第１の実施の形態に係る架空ドロップ光ファイバ防護管が適用される状況を説明する図である。
【図３】本発明の第１の実施の形態に係る架空ドロップ光ファイバ防護管を直線部に取り付ける場合の様子を説明する図である。
【図４】本発明の第１の実施の形態に係る架空ドロップ光ファイバ防護管を屈曲部に取り付ける場合の様子を説明する図である。
【図５】本発明の第１の実施の形態に係る架空ドロップ光ファイバ防護管を新たに敷設する架空ドロップ光ファイバに取り付ける場合の様子を説明する図である。
【図６】本発明の第２の実施形態に係る架空ドロップ光ファイバ防護管の斜視図である。
【図７】従来の電線防護カバーの斜視図である。
【符号の説明】
【００２８】
１，１’  架空ドロップ光ファイバ防護管
２  架空ドロップ光ファイバケーブル
３  架空ドロップ光ファイバ繰り出し器
４  架空ドロップ光ファイバ防護管梱包ケース
５  防護管取り付け工具
６  防護管取り付け装置
９  電線防護カバー
１１  光ファイバ挿通孔
２０Ａ  支持線部
２０Ｂ  光ファイバ部
２１  支持線
２２  心線
２３  テンションメンバ
【図１】
2005275124.tif 000003
【図２】
2005275124.tif 000004
【図３】
2005275124.tif 000005
【図４】
2005275124.tif 000006
【図５】
2005275124.tif 000007
【図６】
2005275124.tif 000008
【図７】
2005275124.tif 000009